(57)【要約】【課題】  ＲＦ−ＩＤメディアが貼付された収容部材に収容された物品を管理するとともに、収容部材における物品の収容状態を管理する。【解決手段】  収容部材に収容された物品を、該収容部材に取り付けられたＲＦ−ＩＤメディアを用いて管理する物品管理部材であって、収容部材が収納される収納領域に取り付け可能な形状を有する板状筐体１０内に、ＲＦ−ＩＤメディアから情報を読み出すためのアンテナ２１−１〜２１−８を取り付けるとともに、この板状筐体１０のアンテナ２１−１〜２１−８に対応する位置に、収納領域に収納された収容部材の重量を計測する重量センサ３０−１〜３０−８を取り付ける。【選択図】図１
2006056615.tif 000002
【特許請求の範囲】
【請求項１】
収容部材に収容された物品を、該収容部材に取り付けられたＲＦ−ＩＤメディアを用いて管理する物品管理部材であって、
前記収容部材が収納される収納領域に設置可能な形状を有する筐体と、
前記筐体に取り付けられ、前記ＲＦ−ＩＤメディアから情報を読み出すための少なくとも１つのアンテナと、
前記筐体の前記アンテナに対応する位置に取り付けられ、前記収納領域に収納された収容部材の重量を計測する少なくとも１つの計測手段とを有する物品管理部材。
【請求項２】
請求項１に記載の物品管理部材を用いた物品管理システムであって、
前記アンテナを介して前記ＲＦ−ＩＤメディアから読み出された情報と、前記計測手段にて計測された前記収容部材の重量とを用いて、前記収容部材に収容された物品を管理する管理手段を有し、
前記物品管理部材は、前記アンテナを介して前記ＲＦ−ＩＤメディアから読み出された情報及び前記計測手段にて計測された前記収容部材の重量を前記管理手段に通知し、
前記管理手段は、前記収納領域における前記アンテナ及び前記計測手段の位置を管理しておき、前記物品管理部材から通知された前記収容部材の重量を、該重量を計測した計測手段に対応した位置にあるアンテナを介して読み出された情報によって識別されるＲＦ−ＩＤメディアが取り付けられた収容部材の重量として管理する物品管理システム。
【請求項３】
請求項１に記載の物品管理部材を用いた物品管理方法であって、
前記収納領域における前記アンテナ及び前記計測手段の位置を管理しておく処理と、
前記アンテナを介して前記ＲＦ−ＩＤメディアから情報を読み出す処理と、
前記計測手段にて前記収容部材の重量を計測する処理と、
前記計測手段にて計測された前記収容部材の重量を、該重量を計測した計測手段に対応した位置にあるアンテナを介して読み出された情報によって識別されるＲＦ−ＩＤメディアが取り付けられた収容部材の重量として管理する処理とを有する物品管理方法。
【発明の詳細な説明】
【技術分野】
【０００１】
本発明は、収容部材に収容された物品を、収容部材に取り付けられたＲＦ−ＩＤメディアを用いて管理する物品管理部材、並びにこれを用いた物品管理システム及び物品管理方法に関する。
【背景技術】
【０００２】
従来、図書館等において棚に収納された書籍を管理する場合、バーコードや識別番号等のような書籍を管理するための識別情報を書籍の表紙あるいは裏表紙に記載したり、あるいは、該識別情報が印字されたラベルを書籍の表紙あるいは裏表紙に貼付したりしている。このバーコードや識別番号等の識別情報を書籍名と対応づけて管理しておき、書棚の保管場所において、書籍からバーコードや識別番号等の識別情報を読み取ることにより、書籍の在庫管理を行っている。
【０００３】
また、近年、非接触状態にて情報の書き込み及び読み出しが可能な非接触型ＩＣタグや非接触型ＩＣラベルといったＲＦ−ＩＤメディアを書籍に貼付しておき、また、書籍が収納される棚の底板や背板に、ＲＦ−ＩＤメディアから情報を読み取るためのアンテナを配置しておき、このアンテナを介してＲＦ−ＩＤメディアから情報を読み取り、書籍の在庫管理を行う技術が考えられている（例えば、特許文献１，２参照。）。
【０００４】
上述したようなＲＦ−ＩＤメディアとしては、ＲＦ−ＩＤメディアのコイル状のアンテナと、ＲＦ−ＩＤメディアに対して情報の書き込み及び読み出しを行うための情報書込／読出装置のコイル状のアンテナとの２つのアンテナ間にて電磁誘導を生じさせ、この電磁誘導によってＲＦ−ＩＤメディアに対する情報の書き込みや読み出しを行う電磁誘導方式のものが、透過性に優れ、かつ、信頼性が高いことから多く用いられている。
【０００５】
ここで、このような電磁誘導方式のものにおいては、情報書込／読出装置のアンテナに流れる電流によって生じる磁界がＲＦ−ＩＤメディアのアンテナのコア部分を通過することによりＲＦ−ＩＤメディアのアンテナに電流が流れ、それにより、ＲＦ−ＩＤメディアに対する情報の書き込みや読み出しが行われることになるため、情報書込／読出装置のアンテナとＲＦ−ＩＤメディアとを対向させなければ、十分な通信距離を得ることができない。特に、ＩＳＯで標準化されている１３．５６ＭＨｚのような高周波数帯を用いるものにおいては、情報書込／読出装置のアンテナとＲＦ−ＩＤメディアとが対向していない場合、通信距離が極端に短くなってしまう。
【０００６】
そのため、上述したように、書籍が収納される棚の底板に、ＲＦ−ＩＤメディアから情報を読み取るためのアンテナを配置しておくものにおいては、書籍に貼付されたＲＦ−ＩＤメディアとそのアンテナとを対向させることが困難であり、通信距離が短くなってしまう。
【０００７】
また、書籍が収納される棚の背板に、ＲＦ−ＩＤメディアから情報を読み取るためのアンテナを配置しておくものにおいては、書籍の背表紙にＲＦ−ＩＤメディアを貼付すればＲＦ−ＩＤメディアとアンテナとを対向させることができるが、書籍の厚さが薄い場合、ＲＦ−ＩＤメディアを書籍の背表紙に貼付することができず、その場合、書籍の表紙や裏表紙にＲＦ−ＩＤメディアを貼付することになり、上記同様に通信距離が短くなってしまう。
【０００８】
このように、棚に収納される物品にＲＦ−ＩＤメディアを貼付し、かつ、ＲＦ−ＩＤメディアから情報を読み取るためのアンテナを棚の底板や背板に配置して物品を管理するものにおいては、ＲＦ−ＩＤメディアとアンテナとの通信距離が短くなってしまい、ＲＦ−ＩＤメディアから情報を読み出すことができなくなってしまう虞れがある。
【０００９】
そこで、物品を箱等の収容部材に収容し、かつ、この収容部材を構成する面のうち、収容部材が棚等の収納領域に収納された場合に、収納領域に設けられたアンテナと対向する面にＲＦ−ＩＤメディアを貼付しておき、それにより、ＲＦ−ＩＤメディアに書き込まれた情報をアンテナを介して読み取り可能に構成し、物品の管理を行なうことが考えられる。
【特許文献１】特開２００３−７２９１９号公報
【特許文献２】特開２００４−２６４６５号公報
【発明の開示】
【発明が解決しようとする課題】
【００１０】
しかしながら、上述したように、物品を収容部材に収容し、かつ、この収容部材を構成する面のうち、収容部材が棚等の収納領域に収納された場合に、収納領域に設けられたアンテナと対向する面にＲＦ−ＩＤメディアを貼付しておくことにより、収容部材に収容された物品を管理するものにおいては、収容部材に複数の物品が収容され、その後、収容部材に収容された物品が収容部材から取り出されたり、収容部材の中に物品が新たに収容されたりした場合にその旨を管理することができないという問題点がある。
【００１１】
本発明は、上述したような従来の技術が有する問題点に鑑みてなされたものであって、ＲＦ−ＩＤメディアが貼付された収容部材に収容された物品を管理するとともに、収容部材における物品の収容状態を管理することができる物品管理部材、並びにこれを用いた物品管理システム及び物品管理方法を提供することを目的とする。
【課題を解決するための手段】
【００１２】
上記目的を達成するために本発明は、
収容部材に収容された物品を、該収容部材に取り付けられたＲＦ−ＩＤメディアを用いて管理する物品管理部材であって、
前記収容部材が収納される収納領域に設置可能な形状を有する筐体と、
前記筐体に取り付けられ、前記ＲＦ−ＩＤメディアから情報を読み出すための少なくとも１つのアンテナと、
前記筐体の前記アンテナに対応する位置に取り付けられ、前記収納領域に収納された収容部材の重量を計測する少なくとも１つの計測手段とを有する。
【００１３】
また、前記物品管理部材を用いた物品管理システムであって、
前記アンテナを介して前記ＲＦ−ＩＤメディアから読み出された情報と、前記計測手段にて計測された前記収容部材の重量とを用いて、前記収容部材に収容された物品を管理する管理手段を有し、
前記物品管理部材は、前記アンテナを介して前記ＲＦ−ＩＤメディアから読み出された情報及び前記計測手段にて計測された前記収容部材の重量を前記管理手段に通知し、
前記管理手段は、前記収納領域における前記アンテナ及び前記計測手段の位置を管理しておき、前記物品管理部材から通知された前記収容部材の重量を、該重量を計測した計測手段に対応した位置にあるアンテナを介して読み出された情報によって識別されるＲＦ−ＩＤメディアが取り付けられた収容部材の重量として管理する。
【００１４】
また、前記物品管理部材を用いた物品管理方法であって、
前記収納領域における前記アンテナ及び前記計測手段の位置を管理しておく処理と、
前記アンテナを介して前記ＲＦ−ＩＤメディアから情報を読み出す処理と、
前記計測手段にて前記収容部材の重量を計測する処理と、
前記計測手段にて計測された前記収容部材の重量を、該重量を計測した計測手段に対応した位置にあるアンテナを介して読み出された情報によって識別されるＲＦ−ＩＤメディアが取り付けられた収容部材の重量として管理する処理とを有する。
【００１５】
上記のように構成された本発明においては、ＲＦ−ＩＤメディアが取り付けられた収容部材が収納領域に収納されると、収納領域内に取り付けられた物品管理部材のアンテナを介して、ＲＦ−ＩＤメディアに書き込まれた情報が読み出され、また、物品管理部材の計測手段において、収納領域に収納された収容部材の重量が計測される。ここで、アンテナと計測手段とは、物品管理部材を構成する筐体にて互いに対応する位置に取り付けられており、収納領域におけるこれらの位置は、収納領域への物品管理部材の設置位置や、物品管理部材におけるこれらの取り付け位置によって管理されている。そして、上述したように、ＲＦ−ＩＤメディアから情報が読み出され、また、計測手段にて収容部材の重量が計測されると、計測された重量は、その計測手段に対応する位置にあるアンテナを介して読み出されたＲＦ−ＩＤメディアが取り付けられた収容部材の重量として管理される。これにより、物品が収容された収容部材が、収納領域のどこに収納され、また、どのくらいの重量であるかが管理されることになる。
【００１６】
このように、計測手段にて計測された重量が、その計測手段に対応する位置にあるアンテナを介して読み出されたＲＦ−ＩＤメディアが取り付けられた収容部材の重量として管理されるので、その後、定期的あるいは任意のタイミングで、上記同様に、ＲＦ−ＩＤメディアに書き込まれた情報が物品管理部材のアンテナを介して読み出され、また、収納領域に収納された収容部材の重量が物品管理部材の計測手段にて計測され、この計測された重量がＲＦ−ＩＤメディアから読み出された情報に対応づけて管理されている重量と比較されることにより、収容部材から物品が取り出されたり、収容部材の中に物品が新たに収容された場合にその旨を管理することができる。
【発明の効果】
【００１７】
以上説明したように本発明においては、物品が収容部材に収容された場合であっても、収容部材に取り付けられたＲＦ−ＩＤメディアから情報が読み出され、また、収容部材の重量が計測されるので、これらを対応づけて管理しておけば、ＲＦ−ＩＤメディアが取り付けられた収容部材に収容された物品を管理するとともに、収容部材における物品の収容状態を管理することができる。
【発明を実施するための最良の形態】
【００１８】
以下に、本発明の実施の形態について図面を参照して説明する。
【００１９】
図１は、本発明の物品管理部材の実施の一形態を示す図であり、（ａ）は外観斜視図、（ｂ）は内部構造を示す図である。
【００２０】
本形態は図１に示すように、板状筐体１０の表面に、この板状筐体１０上に載置された物品の重量を計測するための計測手段である８つの重量センサ３０−１〜３０−８が取り付けられているとともに、板状筐体１０内の重量センサ３０−１〜３０−８に対応する位置に８つのアンテナ基板２０−１〜２０−８がビス等（不図示）によって取り付けられて構成されている。
【００２１】
アンテナ基板２０−１〜２０−８のそれぞれには、ＲＦ−ＩＤメディアと共振することによりＲＦ−ＩＤメディアから情報を読み出すためのコイル状のアンテナ２１−１〜２１−８が形成されるとともに、アンテナ２１−１〜２１−８に電流が流れた場合に点灯する発光手段であるＬＥＤ２３−１〜２３−８が接続されている。
【００２２】
また、板状筐体１０の前面には、アンテナ基板２０−１〜２０−８の取り付け位置に対応して窓１２−１〜１２−８が設けられており、アンテナ基板２０−１〜２０−８に接続されたＬＥＤ２３−１〜２３−８が点灯した場合、この窓１２−１〜１２−８を介してその点灯状態を確認できるようになっている。
【００２３】
また、板状筐体１０の内部には、８つのアンテナ２１−１〜２１−８を介してのＲＦ−ＩＤメディアからの情報の読み出しを制御するとともに、重量センサ３０−１〜３０−８にて計測された重量を認識するための制御基板４０が取り付けられており、制御基板４０には、アンテナ２１−１〜２１−８を介してＲＦ−ＩＤメディアから情報を読み出す情報読出部４２と、アンテナ２１−１〜２１−８への電流の供給を切り替えることにより、情報読出部４２にてＲＦ−ＩＤメディアから情報を読み出すためのアンテナを切り替えるアンテナ切替器４１と、重量センサ３０−１〜３０−８にて計測された重量を認識する重量認識部４４と、外部に設けられたパソコン等の制御機器との通信を制御したり、制御基板４０への電源供給を制御したりする制御部４３とが設けられている。
【００２４】
なお、図１においては、板状筐体１０に取り付け可能なアンテナ基板２０−１〜２０−８の数及び板状筐体１０に設けられた窓１２−１〜１２−８の数をそれぞれ８つとしたが、本発明はこれらの数を８つに限定するものではない。
【００２５】
以下に、上記のように構成された物品管理部材１の使用方法について説明する。
【００２６】
図２は、図１に示した物品管理部材１が書棚に取り付けられた状態を示す図であり、図３は、図２に示した書棚２に収納されるカタログボックスの構造例を示す図である。なお、図２に示す物品管理部材１ａ〜１ｃの構成は、図１に示した物品管理部材１の構成と同一である。
【００２７】
図２に示すように、物品管理部材１ａ〜１ｃは、図３に示す収容部材であるカタログボックス４が収納される収納領域である棚部３ａ〜３ｃを有する書棚２の棚部３ａ〜３ｃ上に載置可能な形状であって、この棚部３ａ〜３ｃ上に載置されて使用される。本例においては、棚部３ａ上に物品管理部材１ａが載置され、また、棚部３ｂ上に物品管理部材１ｂが載置され、また、棚部３ｃ上に物品管理部材１ｃが載置されている。
【００２８】
書棚２に収納されるカタログボックス４は、開口部からカタログを収容可能に構成され、書棚２の棚部３ａ〜３ｃへの載置面にはＲＦ−ＩＤメディアである非接触型ＩＣラベル５が貼付され、また、書棚２に収納された場合に手前側となる面にはバーコード情報６が記載されている。なお、非接触型ＩＣラベル５をカタログボックス４に貼付する位置はカタログボックス４の内側面であってもよく、また、ＲＦ−ＩＤメディアとして非接触型ＩＣラベル５をカタログボックス４に貼付するのではなく、ＲＦ−ＩＤメディアをカタログボックス４自体に組み込んだり、フィルムケース等によってカタログボックス４に挿入部を設けてそこに収納したりしてもよい。
【００２９】
以下に、上述した書棚２に物品管理部材１ａ〜１ｃを載置した状態で書棚２に収納されたカタログボックス４及びカタログボックス４におけるカタログの収容状態を管理する方法について説明する。
【００３０】
図４は、図１に示した物品管理部材１を用いた物品管理システムの一例を示す図である。
【００３１】
まず、管理手段である管理用パソコン７において、物品管理部材１ａ〜１ｃがそれぞれ書棚２の棚部３ａ〜３ｃ上に載置されている旨がデータベース８に登録される。これは、例えば、物品管理部材１ａ〜１ｃを識別可能な情報と棚部３ａ〜３ｃを示す情報とを対応づけて管理用パソコン７に入力することにより行われる。これにより、物品管理部材１ａが棚部３ａ上に載置され、また、物品管理部材１ｂが棚部３ｂ上に載置され、また、物品管理部材１ｃが棚部３ｃ上に載置されていることがデータベース８に登録され、管理用パソコン７にて管理されることになる。
【００３２】
また、管理用パソコン７において、カタログボックス４に収容されるカタログのカタログ名とカタログボックス４に記載されたバーコード情報６とを対応づけてデータベース８に登録して管理しておく。これは、例えば、管理用パソコン７にカタログボックス４に収容されるカタログのカタログ名を入力するとともに、このカタログボックス４に記載されたバーコード情報を管理用パソコン７に接続されたバーコードリーダー（不図示）にて読み取り、これらを対応づけること等が考えられる。また、カタログボックス４に記載されたバーコード情報６とカタログボックス４に貼付された非接触型ＩＣラベル５のシリアル番号とを対応づけてデータベース８に登録して管理しておく。これにより、カタログボックス４に収容されたカタログのカタログ名と、このカタログボックス４に貼付された非接触型ＩＣラベル５のシリアル番号とが対応づけて管理されることになる。
【００３３】
その後、棚部３ａ〜３ｃ上に載置された物品管理部材１ａ〜１ｃ上に、カタログが収容されたカタログボックス４が載置され、管理用パソコン７に対して、カタログボックス４を登録する旨の命令が入力されると、管理用パソコン７の制御によって、まず、棚部３ａに載置された物品管理部材１ａに電流が供給され、さらに、物品管理部材１ａ内のアンテナ切替器４１の制御によって、物品管理部材１ａ内のアンテナ基板２０−１に形成されたアンテナ２１−１〜２１−８に高周波電流が順次供給される。この際、アンテナ基板２０−１〜２０−８には、アンテナ２１−１〜２１−８と並列にＬＥＤ２３−１〜２３−８が接続されているため、アンテナ２１−１〜２１−８に供給された高周波電流によってＬＥＤ２３−１〜２３−８が点灯することになる。すなわち、高周波電流が流れているアンテナ２１−１〜２１−８に対応するＬＥＤ２３−１〜２３−８が順次点灯することになる。これにより、アンテナ２１−１〜２１−８のうち、現在どのアンテナに電流が流れ、棚部３ａのどの領域に収納されたカタログボックス４の非接触型ＩＣラベル５からシリアル番号が読み出されているかを通知することができる。なお、ＬＥＤ２３−１〜２３−８を点灯させるために、アンテナ２１−１〜２１−８に供給する高周波電流を用いる他にも、アンテナ２１−１〜２１−８に供給する高周波電流に直流成分を重畳し、この直流成分の電流によってＬＥＤ２３−１〜２３−８を点灯させることも考えられる。また、アンテナ切替器４１の制御時に、アンテナ２１−１〜２１−８のうち現在どのアンテナに電流を流しているかを示す情報を管理用パソコン７に送信し、管理用パソコン７において、アンテナ２１−１〜２１−８のうち、現在どのアンテナに電流が流れ、棚部３ａのどの領域に収納されたカタログボックス４の非接触型ＩＣラベル５からシリアル番号が読み出されているかを表示することも考えられる。
【００３４】
次に、管理用パソコン７の制御によって棚部３ｂに載置された物品管理部材１ｂに電流が供給され、さらに、物品管理部材１ｂ内のアンテナ切替器４１の制御によって、物品管理部材１ｂ内のアンテナ基板２０−１〜２０−８に形成されたアンテナ２１−１〜２１−８に高周波電流が順次供給される。その後、同様に、管理用パソコン７の制御によって棚部３ｃに載置された物品管理部材１ｃに電流が供給され、さらに、物品管理部材１ｃ内のアンテナ切替器４１の制御によって、物品管理部材１ｃ内のアンテナ基板２０−１〜２０−８に形成されたアンテナ２１−１〜２１−８にそれぞれ高周波電流が順次供給される。
【００３５】
このように、棚部３ａ〜３ｃに載置された物品管理部材１ａ〜１ｃのアンテナにそれぞれ高周波電流が供給されると、物品管理部材１ａ〜１ｃ内の情報読出部４２において、高周波電流が供給されたアンテナに対向する非接触型ＩＣラベル５からシリアル番号が読み出される。この際、情報読出部４２においては、アンテナ２１−１〜２１−８を介して非接触型ＩＣラベル５からシリアル番号が順次読み出されるように制御が行われるため、読み出されたシリアル番号がどのアンテナを介して読み出されたものであるかを認識することができる。
【００３６】
物品管理部材１ａ〜１ｃ内の情報読出部４２にて読み出されたシリアル番号は、制御部４３を介して管理用パソコン７に通知される。この際、制御部４３においては、情報読出部４２にて非接触型ＩＣラベル５から読み出されたシリアル番号とともに、物品管理部材１ａ〜１ｃを識別可能な情報と、この情報によって識別される物品管理部材内のアンテナ２１−１〜２１−８のうち、このシリアル番号が読み出されたアンテナの位置を認識するための情報とが管理用パソコン７に通知される。なお、アンテナ２１−１〜２１−８の位置を認識するための情報とは、例えば、アンテナ２１−１〜２１−８の識別番号である。物品管理部材１ａ〜１ｃ内のアンテナ２１−１〜２１−８について、図中左側から「１」〜「８」という識別番号をそれぞれ付与することによって、物品管理部材１ａ〜１ｃ内のアンテナ２１−１〜２１−８のうち、非接触型ＩＣラベル５からシリアル番号が読み出されたアンテナの位置を認識することができる。
【００３７】
管理用パソコン７においては、物品管理部材１ａ〜１ｃから通知された非接触型ＩＣラベル５のシリアル番号に対応づけて管理されているカタログ名がデータベース８から検索される。また、非接触型ＩＣラベル５のシリアル番号とともに物品管理部材１ａ〜１ｃから通知された物品管理部材１ａ〜１ｃを識別可能な情報に対応づけられた棚部１ａ〜１ｃが認識される。
【００３８】
これにより、管理用パソコン７においては、カタログボックス４に収容されたカタログが、カタログの種類毎に、書棚２内のどの棚部のどの位置に収納されているか認識され、データベース８に登録されて管理されることになる。
【００３９】
また、管理用パソコン７の制御によって棚部３ａに載置された物品管理部材１ａに電流が供給された際に、物品管理部材１ａ内の重量認識部４４の制御によって、物品管理部材１ａ内の重量センサ３０−１〜３０−８において、物品管理部材１ａの重量センサ３０−１〜３０−８が設けられた領域上に載置されたカタログボックス４の重量が順次計測され、計測結果が重量認識部４４に通知される。この際、重量認識部４４においては、重量センサ３０−１〜３０−８にて順次重量が計測されるように制御が行われるため、通知された重量がどの重量センサにて計測されたものであるかを認識することができる。また、管理用パソコン７の制御によって棚部３ｂ，３ｃに載置された物品管理部材１ｂ，１ｃに電流が供給された際においても、同様に、物品管理部材１ｂ，１ｃ内の重量センサ３０−１〜３０−８にて重量が計測され、計測結果が物品管理部材１ｂ，１ｃ内の重量認識部４４にそれぞれ通知される。
【００４０】
物品管理部材１ａ〜１ｃ内の重量認識部４４にて認識された重量は、制御部４３を介して管理用パソコン７に通知される。この際、制御部４３においては、重量認識部４４にて認識された重量とともに、物品管理部材１ａ〜１ｃを識別可能な情報と、この情報によって識別される物品管理部材内の重量センサ３０−１〜３０−８のうち、この重量が計測された重量センサの位置を認識するための情報とが管理用パソコン７に通知される。なお、重量センサ３０−１〜３０−８の位置を認識するための情報とは、例えば、重量センサ３０−１〜３０−８の識別番号である。物品管理部材１ａ〜１ｃ内の重量センサ３０−１〜３０−８について、図中左側から「１」〜「８」という識別番号をそれぞれ付与することによって、物品管理部材１ａ〜１ｃ内の重量センサ３０−１〜３０−８のうち、重量が計測された重量センサの位置を認識することができる。すなわち、制御部４３においては、上述したように、アンテナ２１−１〜２１−８及び重量センサ３０−１〜３０−８の位置を認識するための情報として同一の情報を用いることにより、物品管理部材１ａ〜１ｃのそれぞれについて、アンテナ２１−１〜２１−８と重量センサ３０−１〜３０−８との設置位置の対応づけを示すことができる。また、このように、アンテナ２１−１〜２１−８及び重量センサ３０−１〜３０−８の位置を認識するための情報として同一の情報を用いずに、アンテナ２１−１〜２１−８及び重量センサ３０−１〜３０−８の位置を示す情報をそれぞれ管理用パソコン７に通知することも考えられる。
【００４１】
管理用パソコン７においては、重量認識部４４にて認識された重量とともに、物品管理部材１ａ〜１ｃを識別可能な情報と、この情報によって識別される物品管理部材内の重量センサ３０−１〜３０−８のうち、この重量が計測された重量センサの位置を認識するための情報とが物品管理部材１ａ〜１ｃの重量認識部４４からそれぞれ通知されると、物品管理部材１ａ〜１ｃのどの位置にどれだけの重量のカタログボックス４が載置されているかが認識される。
【００４２】
これにより、管理用パソコン７においては、カタログボックス４に収容されたカタログが、カタログの種類毎に、書棚２内のどの棚部のどの位置に収納されており、そのカタログボックス４の重量がどのくらいであるかがデータベース８に登録され、管理されることになる。
【００４３】
上述したカタログボックス４４の登録処理後、管理用パソコン７において、上記同様の処理にて、物品管理部材１ａ〜１ｃ上に載置されたカタログボックス４の重量の計測が定期的に行われ、物品管理部材１ａ〜１ｃから通知されたカタログボックス４の重量と、データベース８に登録されているカタログボックス４の重量とが比較され、それにより、物品管理部材１ａ〜１ｃ上に載置されたカタログボックス４のそれぞれについて、カタログボックス４に収容されたカタログが取り出されたことや、カタログボックス４にカタログが新たに収容されたことを認識することができる。
【００４４】
これにより、例えば、物品管理部材１ａ〜１ｃから通知されたカタログボックス４の重量が予め決められた値以下となった場合に、管理用パソコン７において、そのカタログボックス４に収容されたカタログの名称及びそのカタログボックス４が収納された位置を表示し、カタログボックス４にカタログを補充する旨を通知することができる。また、管理用パソコン７の制御によって、重量が予め決められた値以下となったカタログボックス４が載置された領域のアンテナに電流を流し、そのアンテナに接続されたＬＥＤを点灯させることにより、カタログボックス４にカタログを補充する旨を通知することも考えられる。
【００４５】
また、その際、カタログボックス４に貼付された非接触型ＩＣラベル５のシリアル番号が、データベース８に登録されている位置とは異なる位置に設けられたアンテナを介して読み出された場合は、そのカタログボックス４の収納位置が、そのアンテナが設けられた位置に移動したことがデータベース８に登録され、管理用パソコン７にて管理されることになる。
【００４６】
また、上述したように、管理用パソコン７の制御によって、物品管理部材１ａ〜１ｃ上に載置されたカタログボックス４の重量の計測を定期的に行うのではなく、管理用パソコン７に、カタログボックス４の重量を確認する旨の命令が入力された場合に、上述したようなカタログボックス４の重量計測を行うことも考えられる。また、このような処理において、物品管理部材１ａ〜１ｃ上に載置された全てのカタログボックス４の重量を計測するのではなく、所望のカタログボックス４のみの重量を計測することも考えられる。その場合、管理用パソコン７に、重量を確認したいカタログボックス４に収容されたカタログ名が入力されると、管理用パソコン７において、データベース８が参照され、そのカタログ名に対応づけられたカタログボックス４が載置された位置の重量センサにてカタログボックスの重量が計測されることになる。具体的には、カタログ名が指定されると、このカタログ名に対応づけられたバーコード情報が認識され、次に、このバーコード情報に対応づけられた非接触型ＩＣラベル５のシリアル番号が認識される。そして、このシリアル番号が読み出されたアンテナの位置が認識され、この位置に設けられた重量センサにてカタログボックスの重量が計測されることになる。
【００４７】
なお、図４に示した例においては、１つの書棚２に収納されたカタログボックス４を１つの管理用パソコン７にて管理しているが、複数の書棚２に収納されたカタログボックス４を１つの管理用パソコンにて管理することも考えられる。その場合、１つの書棚２毎にその書棚２に設けられる物品管理部材に電源を供給するための電源及びハブを設けてそれらをＬＡＮで接続し、ハブを介して無線あるいは有線ＬＡＮで１つの管理用パソコン７に接続することになる。
【００４８】
また、本形態においては、書棚２に収納される収容部材としてカタログが収容されたカタログボックス４を例に挙げて説明したが、書棚２に収納される収容部材としては、書棚２の棚部３ａ〜３ｃへの載置面に非接触型ＩＣラベル５が貼付され、内部に物品が収容可能なものであればカタログボックス４に限らず、内部に収容される物品もカタログに限らない。また、書棚２の形状についても、本形態のように棚部３ａ〜３ｂを有するものには限らず、例えば、カタログラックのようにカタログを収納する収納領域が設けられているものであればよく、その場合も、この収納領域に、カタログ等の物品が収容された収容部材が収納されることになる。
【００４９】
また、物品管理部材１においても、本形態のように板状筐体１０からなるものではなく、収納領域内に収納可能な形状であって、物品が収容された収容部材が収納領域に収納された場合に、重量センサ３０−１〜３０−８にて収容部材の重量を測定可能な形状であればよく、本形態のように、アンテナ２１−１〜２１−８と重量センサ３０−１〜３０−８とが同一方向を向くように設けられていなくてもよい。また、本形態のように、アンテナと重量センサとが１対１に対応して設けられている必要はなく、１つの重量センサに対応する位置に複数のアンテナが設けられている構成としてもよい。
【００５０】
また、アンテナ及び重量センサが１つずつ設けられた複数の物品管理部材を用いることも考えられ、その場合、上述したように、物品管理部材の収納領域を予め登録しておけば、物品管理部材内のアンテナ及び重量センサの位置を認識するための情報を管理用パソコンに通知する必要はない。
【図面の簡単な説明】
【００５１】
【図１】本発明の物品管理部材の実施の一形態を示す図であり、（ａ）は外観斜視図、（ｂ）は内部構造を示す図である。
【図２】図１に示した物品管理部材が書棚に取り付けられた状態を示す図である。
【図３】図２に示した書棚に収納されるカタログボックスの構造例を示す図である。
【図４】図１に示した物品管理部材を用いた物品管理システムの一例を示す図である。
【符号の説明】
【００５２】
１    物品管理部材
２    書棚
３ａ〜３ｃ    棚部
４    カタログボックス
５    非接触型ＩＣラベル
６    バーコード情報
７    管理用パソコン
８    データベース
１０    板状筐体
１２−１〜１２−８    窓
２０−１〜２０−８    アンテナ基板
２１−１〜２１−８    アンテナ
２３−１〜２３−８    ＬＥＤ
３０−１〜３０−８    重量センサ
４０    制御基板
４１    アンテナ切替器
４２    情報読出部
４３    制御部
４４    重量認識部
【図１】
2006056615.tif 000003
【図２】
2006056615.tif 000004
【図３】
2006056615.tif 000005
【図４】
2006056615.tif 000006